【事件の表示】
　特願２０１６−２０６０８１号「遊技機」拒絶査定不服審判事件〔平成３０年４月２６日出願公開、特開２０１８−６４８２０号〕について、次のとおり審決する。
【結　論】
　本件審判の請求は、成り立たない。
【理　由】
第１　手続の経緯の概要
　本願は、平成２８年１０月２０日の出願であって、平成２９年１１月３０日付けで拒絶の理由が通知され、平成３０年２月２日に意見書及び手続補正書が提出され、同年５月２８日付けで最後の拒絶の理由が通知され、同年８月１日に意見書及び手続補正書が提出されたところ、同年１１月１３日付け（送達日：同年１２月４日）で、同年８月１日付け手続補正が却下されるとともに拒絶査定（以下「原査定」という。）がなされ、それに対して、平成３１年２月２７日に拒絶査定不服審判の請求がなされると同時に手続補正がなされ、これに対し、当審において、令和１年７月１７日付けで拒絶の理由が通知され、同年９月２０日に意見書及び手続補正書が提出され、これに対し、当審において、同年１１月２８日付けで最後の拒絶の理由が通知され、令和２年２月３日に意見書及び手続補正書が提出されたものである。
　
第２　令和２年２月３日にされた手続補正についての補正の却下の決定
［補正の却下の決定の結論］
　令和２年２月３日にされた手続補正（以下「本件補正」という。）を却下する。
　
［理由］
　１　補正の内容
　本件補正により、令和１年９月２０日付け手続補正書の特許請求の範囲の請求項１における
「【請求項１】
　所定の制御設定値によって動作が制御される複数のデバイスと、
　第一条件が成立した場合に、前記制御設定値を複数の値から遊技者が選択した設定値と異なる値に変更可能な設定変更手段と、
　遊技球が流下可能な遊技領域に設けられた始動領域への遊技球の入球に基づいて実行される抽選の結果を報知する演出に係る演出図柄の変動態様および停止態様の表示が可能な表示装置と
　を備え、
　前記複数のデバイスは、音声出力装置と、発光装置とを含み、
　前記設定変更手段は、
　前記遊技者が選択した設定値と異なる値の制御設定値に対応する音量の音声を前記音声出力装置から出力させる制御と、前記遊技者が選択した設定値と異なる値の制御設定値に対応する輝度で前記発光装置を発光させる制御と、を並行して実行可能であり、
　前記第一条件の成立中に第二条件が成立した状態で前記演出図柄の停止態様が表示される際に、前記設定変更手段による前記制御設定値の変更が解除されていること
　を特徴とする遊技機。」は、
　令和２年２月３日付け手続補正書の特許請求の範囲の請求項１における
「【請求項１】
　所定の制御設定値によって動作が制御される複数のデバイスと、
　第一条件が成立した場合に、前記制御設定値を複数の値から遊技者が選択した設定値と異なる値に変更可能な設定変更手段と、
　遊技球が流下可能な遊技領域に設けられた始動領域への遊技球の入球に基づいて実行される抽選の結果を報知する演出に係る演出図柄の変動態様および停止態様の表示が可能な表示装置と
　を備え、
　
前記第一条件は、前記抽選の実行が容易でない遊技状態である場合に成立可能な前記制御設定値の変更条件が満たされた場合に成立し、
　前記複数のデバイスは、音声出力装置と、発光装置とを含み、
　前記設定変更手段は、
　前記遊技者が選択した設定値と異なる値の制御設定値に対応する音量の音声を前記音声出力装置から出力させる制御と、前記遊技者が選択した設定値と異なる値の制御設定値に対応する輝度で前記発光装置を発光させる制御と、を並行して実行可能であり、
　前記第一条件の成立中に
実行される特定の演出が終了して
　を特徴とする遊技機。」に補正された（下線は、補正箇所を明示するために当審判合議体にて付した。）。
　
　２　補正の適否
　２−１　補正の目的及び新規事項について
　本件補正は、補正前の請求項１に記載した発明を特定するために必要な事項である「第一条件」に関して、「
前記第一条件は、前記抽選の実行が容易でない遊技状態である場合に成立可能な前記制御設定値の変更条件が満たされた場合に成立し、
実行される特定の演出が終了して
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正は、願書に最初に添付した明細書の段落【００５２】、【０５０１】〜【０５１６】、【図５０】等の「遊技状態が非時短遊技状態である場合」に「設定変更条件」が成立可能である旨の記載からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｈは、分説するため当審判合議体にて付した。）。
「Ａ　所定の制御設定値によって動作が制御される複数のデバイスと、
　Ｂ　第一条件が成立した場合に、前記制御設定値を複数の値から遊技者が選択した設定値と異なる値に変更可能な設定変更手段と、
　Ｃ　遊技球が流下可能な遊技領域に設けられた始動領域への遊技球の入球に基づいて実行される抽選の結果を報知する演出に係る演出図柄の変動態様および停止態様の表示が可能な表示装置と
　を備え、
　Ｄ　前記第一条件は、前記抽選の実行が容易でない遊技状態である場合に成立可能な前記制御設定値の変更条件が満たされた場合に成立し、
　Ｅ　前記複数のデバイスは、音声出力装置と、発光装置とを含み、
　Ｆ　前記設定変更手段は、
　Ｆ１　前記遊技者が選択した設定値と異なる値の制御設定値に対応する音量の音声を前記音声出力装置から出力させる制御と、前記遊技者が選択した設定値と異なる値の制御設定値に対応する輝度で前記発光装置を発光させる制御と、を並行して実行可能であり、
　Ｇ　前記第一条件の成立中に実行される特定の演出が終了して第二条件が成立した後、前記演出図柄の停止態様が表示される際に、前記設定変更手段による前記制御設定値の変更が解除されていること
　Ｈ　を特徴とする遊技機。」
　
　（２）引用例１
　当審判合議体による令和１年１１月２８日付け拒絶理由に引用された、本願の出願前に電気通信回線を通じて公衆に利用可能となった特開２０１５−１３９４７１号公報（以下「引用例１」という。）には、図面とともに以下の事項が記載されている（下線は当審判合議体にて付した。以下同じ。）。
　　　ア　記載事項
　　　（ア）
「【００１８】
　図１は、本実施形態における
遊技機１
　
　　　（イ）
「【００２４】
　設定スイッチ２８は、遊技機１に関する設定、より具体的には、遊技機１で行う各種演出に関する基本的な設定を行うためのスイッチである。この設定スイッチ２８は、遊技機１において演出が行われるときの枠ランプ９の輝度や発光パターン、後述する画像表示器１２の輝度、並びに、スピーカー８から出力される演出音の基本的な音量レベルなどを予め設定しておくためのスイッチである。例えば図３（ｂ）に示すように、
設定スイッチ２８は、店員が操作可能な
画像表示器１２
　
　　　（ウ）
「【００３０】
　第１始動口１３および第２始動口１４のそれぞれは、所定球数の賞球を払い出すための入賞口であると共に、遊技機１において遊技者に有利な特別遊技である大当たり遊技を行うか否かの特別遊技判定（大当たり判定）が行われる条件となる入賞口である。これら
始動口１３，１４に入賞した遊技球が始動検知領域を通過して始動条件が成立すると、遊技機１において特別遊技判定が行われ、
【００３１】
　尚、図柄表示器２２は、遊技盤１０の隅の遊技者にとって視認し難い位置に設けられており、特別図柄の変動表示の表示態様なども遊技者にとっては識別し難い表示態様で表示される。それ故、遊技者は、特別遊技判定の結果などを、主にセンター役物１１などで行われる演出によって認識する。
・・・
【００３６】
　またセンター役物１１は、その中央に、例えばカラー液晶ディスプレイなどで構成される画像表示器１２を備えている。この画像表示器１２は、例えば数字やアルファベット、文字などの図柄が付された３つの装飾図柄１２ａ、１２ｂ、１２ｃを表示可能である。
遊技機１において特別遊技判定が行われ
ることに伴い、画像表示器１２は、
３つの装飾図柄１２ａ、１２ｂ、１２ｃを
変動させる図柄変動演出を開始し、所定時間経過後にその図柄変動演出を停止させることにより、特別遊技判定の結果を遊技者に報知する演出を行う。
　
　　　（エ）
「【００５３】
　また演出制御基板５２には、遊技機本体１ａの背面側に設けられる設定スイッチ２８が接続される。遊技機１に電源が投入され、メイン制御基板３１から初期設定コマンドを受信すると、演出制御基板５２は、設定スイッチ２８の設定状態に基づき、演出に関する基本的な設定を行う。すなわち、
演出制御基板５２は、
枠ランプ９の輝度や発光パターン
スピーカー８から出力する演出音の音量レベルの初期値を設定する。
演出制御基板５２は、
設定状態に基づき、各種演出の実行を制御する。
演出制御基板５２は、遊技者による操作に基づいてスピーカー８から出力する演出音の音量レベルを初期値から変更し、その後、その変更後の音量レベルで演出音が出力されるように制御する。
　
　　　（オ）
「【００８９】
　図１０は、特別状態制御部６３による遊技機１の遊技状態の移行を示す図である。特別状態制御部６３は、図１０に示すように遊技の進行に応じて遊技機１の遊技状態を通常遊技状態ＳＴ１、特別遊技状態ＳＴ２および特定遊技状態ＳＴ３のそれぞれに移行させる。まず、遊技機１に電源が投入され、ＲＡＭクリアボタン２９が操作されると、遊技機１は通常遊技状態ＳＴ１で動作する。通常遊技状態ＳＴ１は、大当たりに当選する確率が高確率状態よりも低い低確率（通常確率）で遊技を進行させる状態である。この
通常遊技状態ＳＴ１では、スルーゲート２１を遊技球が通過することにより行われる普通図柄抽選に当選した場合であっても、電動チューリップ１４ａが第２始動口１４を開放する時間は極めて短く、第２始動口１４へ遊技球が入賞する可能性は低い。
　
　　　（カ）
「【０１２７】
　図２１は、演出制御基板５２における主たる機能構成を模式的に示したブロック図である。
演出制御基板５２は、
遊技演出制御部７１、遊技演出設定部７２
として機能する。
【０１２８】
遊技演出制御部７１は、電源投入に伴う起動処理が終了した後に動作し、メイン制御基板３１から受信する各種の信号やコマンドなどに基づき、遊技の進行に応じた各種の遊技演出の実行を制御する。この遊技演出制御部７１には、第１操作ボタン６及び第２操作ボタン７が接続されている。そのため、遊技演出制御部７１は、遊技者により第１操作ボタン６又は第２操作ボタン７が操作された場合に、遊技機１で実行する演出をその操作に対応した演出に切り替えることが可能である。この
遊技演出制御部７１は、
通常遊技演出制御部８２
を備えている。
・・・
【０１３０】
　
通常遊技演出制御部８２は、
通常遊技状態ＳＴ１における図柄変動演出の実行を制御する。
通常遊技演出制御部８２が演出パターンに基づく図柄変動演出の実行を開始すると、スピーカー８からその演出パターンに対応する
音声などの演出音が出力される
【０１３１】
　この通常遊技演出制御部８２は、操作演出の実行を制御する操作演出制御部８２ａと、特定示唆演出の実行を制御する特定示唆遊技演出制御部８２ｂを備える。操作演出とは、遊技者に第１操作ボタン６又は第２操作ボタン７の操作を促す演出である。例えば、変動開始コマンドに基づいて決定した演出パターンに、所定のタイミングで操作演出を行うパターンが含まれている場合、通常遊技演出制御部８２は、図柄変動演出を開始してから操作演出を行うタイミングになると、操作演出制御部８２ａを機能させる。そして操作演出制御部８２ａは、例えば、画像表示器１２に、第１操作ボタン６又は第２操作ボタン７の操作を促す画像などを表示させることにより、操作演出を実行する。また特定示唆演出とは、遊技者に対して有利な遊技価値が付与される期待度が通常よりも高いことを示唆する演出である。例えば、図柄変動演出中における特定示唆演出には、遊技者によって所定のタイミングで第１操作ボタン６又は第２操作ボタン７が操作された場合に通常よりも大当たりとなる可能性が高い画像を画像表示器１２にカットイン表示させる演出や、リーチ演出から発展させて行われる発展リーチ演出が通常の発展リーチ演出よりも大当たりとなる可能性が高い特定の発展リーチ演出がある。またこの他にも、
特定示唆演出には、複数回の図柄変動演出にわたって連続的に行われる演出であって、大当たりとなる期待度が通常よりも高いことを示唆する期待度アップゾーンでの演出
が含まれる。
　
　　　（キ）
「【０１４４】
　遊技演出設定部７２は、遊技演出に関する各種の設定を行う処理部である。この遊技演出設定部７２は、電源投入時には、初期設定部７４からの指示に基づき、演出に関する基本的な設定を行う。すなわち、遊技機１への電源投入時、初期設定部７４は、設定スイッチ２８の設定状態に基づき、枠ランプ９や画像表示器１２の輝度レベル、スピーカー８から演出音を出力するときの音量レベルの初期値、アピールランプ機能などの設定を遊技演出設定部７２に指示する。
遊技演出設定部７２は、
初期設定部７４からの指示に基づき、枠ランプ９
の輝度レベルを設定スイッチ２８で指定されたレベルに設定する共に、スピーカー８の音量レベルを設定スイッチ２８で指定された初期値に設定する。
【０１４５】
　この
遊技演出設定部７２は、音量調整部７２ａを備えている。
　
　　　（ク）
「【０１７８】
　次に、遊技演出制御部７１によって行われる遊技演出について説明する。まず
図３０は、通常遊技演出制御部８２によって図柄変動演出が行われる
きの演出態様の一例を示す図であり、（ａ）は通常ゾーン演出として図柄変動演出が行われる場合を、（ｂ）は期待度アップゾーンとして図柄変動演出が行われる場合を例示している。
期待度アップゾーン演出とは、例えば保留の先読み判定などにより通常ゾーンから移行させて設定される演出であって
期待度アップゾーンは、
先読み判定などにより、保留として記憶されている遊技データの中に、大当たりとなるものや、リーチとなるものが含まれている場合に設定される。
【０１７９】
　上記のような
期待度アップゾーンは、特定示唆演出のひとつとして行われる。
音量調整部７２ａは、通常遊技演出制御部８２によって行われる図柄変動演出が通常ゾーン演出から期待度アップゾーン演出に移行することに伴い、現在の音量レベルを一時的に上昇させる。
期待度アップゾーンから通常ゾーンへ戻ると、音量調整部７２ａは、音量レベルを元のレベルに戻す。
【０１８０】
　ただし、音量調整部７２ａは、現在の音量レベルが所定レベル以下である場合にのみ、期待度アップゾーン演出に移行したときに音量レベルを上昇させるようにしても良い。例えば、音量調整部７２ａは、現在の音量レベルが所定レベル以下である場合に、現在の音量レベルをこれより大きい所定の音量レベル（例えば最大レベルなど）に変更するようにしても良い。
・・・
【０１８５】
　尚、通常遊技演出制御部８２が変動開始コマンドに基づいて決定する演出パターンには、図３２に示した演出パターン以外にも様々なパターンがある。
通常遊技演出制御部８２は、
期待度アップゾーンの演出態様で図柄変動演出を行うときには期待度アップゾーン演出に対応する複数の演出パターンの中から一の演出パターンを決定する。
　
　　　（ケ）
「【図３０】
　
」
　
　　　（コ）
「【０２０２】
　
図３７は、図柄変動演出処理
の詳細を示すフローチャートである。
は、
通常遊技演出制御部８２
は、現在実行中の演出パターンに大当たりとなる期待度が高いことを示唆する特定示唆演出が含まれている
特定示唆演出が含まれている場合
、特定示唆演出処理を行う
。
・・・
【０２０５】
　
続いて通常遊技演出制御部８２
は、メイン制御基板３１から変動停止コマンドを受信した
変動停止コマンドを受信した場合
、通常遊技演出制御部８２
は、図柄確定演出を行い、特別遊技判定の結果を表示する
。
　
　　　（サ）
「【図３７】
」
　
　　　（シ）
「【０２０９】
　
図３９は、特定示唆演出処理（図３７のステップＳ１２０４）の詳細を示すフローチャートである。通常遊技演出制御部８２の特定示唆遊技演出制御部８２ｂ
は、
【０２１０】
　次に、特定示唆遊技演出制御部８２ｂまたは８４ｂは、特定示唆演出を終了するタイミングであるか否かを判断する（ステップＳ１４０６）。特定示唆演出を終了するタイミングでない場合（ステップＳ１４０６でＮＯ）、特定示唆演出が継続するので、
特定示唆遊技演出制御部８２ｂ
は、
特定示唆演出を終了するタイミングである場合
、
音量調整部７２ａに、音量レベルの設定値を、特定示唆演出開始前における設定値に復元させる音量レベル復元処理を行い
、特定示唆演出処理を終了する。
【０２１１】
　上記のような特定示唆演出処理が行われることにより、遊技機１において、遊技者に遊技な遊技価値が付与される期待度が通常よりも高いことを示唆する特定示唆演出が行われるときには、スピーカー８から出力される演出音の音量レベルを一時的に上昇させた状態で出力することができるようになる。」
　
　　　（ス）
「【図３９】
」
　
　　　イ　引用発明
　上記アの記載事項、および、図面の図示内容を総合勘案すると、引用例１には、次の発明（以下「引用発明」という。）が記載されていると認められる（ａ〜ｈは、本件補正発明の構成Ａ〜Ｈに概ね対応させて当審判合議体により付した。）。
「ａ、ｅ　輝度や発光パターンの設定状態に基づき演出の実行が制御される枠ランプ９と、音量レベルの設定状態に基づき演出の実行が制御されるスピーカー８と（【００５３】）、
　ｂ　枠ランプ９の輝度レベル、および、スピーカー８の音量レベルを、店員が操作可能な設定スイッチ２８で指定された初期値に設定する遊技演出設定部７２と（【００２４】、【０１４４】）、
　画像表示器１２と（【００２４】）、
　演出制御基板５２と（【０１２７】）、
　遊技演出制御部７１が有する通常遊技演出制御部８２と（【０１２８】）、
　遊技演出設定部７２が有する音量調整部７２ａと（【０１４５】）、を備え、
　演出制御基板５２は、遊技演出制御部７１、遊技演出設定部７２として機能し（【０１２７】）、
　音量調整部７２ａは、通常遊技演出制御部８２によって行われる図柄変動演出の演出態様が、通常ゾーン演出から期待度アップゾーン演出に移行させて設定されることに伴い、遊技者による操作に基づいて初期値から変更された現在の音量レベルを一時的に上昇可能であり（【００５３】、【０１４５】、【０１７８】〜【０１８０】）、
　期待度アップゾーン演出は、特定示唆演出に含まれ、複数回の図柄変動演出にわたって連続的に行われ、大当たりとなる期待度が通常よりも高いことを示唆する演出であって（【０１３１】）、
　ｃ　画像表示器１２は、始動口１３，１４に入賞した遊技球が始動検知領域を通過して始動条件が成立し、特別遊技判定が行われることに伴い、３つの装飾図柄１２ａ、１２ｂ、１２ｃを変動させる図柄変動演出を開始し、所定時間経過後にその図柄変動演出を停止させることにより、特別遊技判定の結果を遊技者に報知する演出が行われ（【００３０】、【００３６】）、
　ｄ　通常遊技演出制御部８２は、スルーゲート２１を遊技球が通過することにより行われる普通図柄抽選に当選した場合であっても、電動チューリップ１４ａが第２始動口１４を開放する時間は極めて短く、第２始動口１４へ遊技球が入賞する可能性は低い、通常遊技状態ＳＴ１において、先読み判定などにより、保留として記憶されている遊技データの中に、大当たりとなるものや、リーチとなるものが含まれている場合に、演出態様が、通常ゾーン演出から期待度アップゾーン演出に移行させて設定され、期待度アップゾーン演出の演出態様で図柄変動演出の実行を制御し（【００８９】、【０１３０】、【０１７８】〜【０１７９】）、
　ｆ、ｆ１　通常遊技演出制御部８２は、期待度アップゾーンの演出態様で図柄変動演出を行うときには期待度アップゾーン演出に対応する複数の演出パターンの中から一の演出パターンを決定し、演出パターンに基づく図柄変動演出の実行を開始すると、スピーカー８からその演出パターンに対応する音声などの演出音を出力し（【０１３０】、【０１８５】）、
　音量調整部７２ａは、通常遊技演出制御部８２によって行われる図柄変動演出が期待度アップゾーン演出に移行することに伴い、現在の音量レベルを一時的に上昇させ（【０１７９】）、
　ｇ　通常遊技演出制御部８２は、
　　ｇ１　図柄変動演出処理において、現在実行中の演出パターンに大当たりとなる期待度が高いことを示唆する特定示唆演出が含まれている場合、特定示唆演出処理を行い（【０２０２】）、
　　ｇ２　特定示唆演出処理において、期待度アップゾーンから通常ゾーンへ戻る、特定示唆演出を終了するタイミングである場合、特定示唆遊技演出制御部８２ｂにより、音量調整部７２ａに、音量レベルの設定値を、特定示唆演出開始前における設定値に復元させる音量レベル復元処理を行い、特定示唆演出処理を終了し（【０１７９】、【０２０９】〜【０２１０】）、
　　ｇ３　メイン制御基板３１から変動停止コマンドを受信した場合、図柄確定演出を行い、特別遊技判定の結果を表示する（【０２０５】）
　ｈ　遊技機１（【００１８】）。」
　
　（３）対比
　本件補正発明と引用発明とを、分説に従い対比する。
　　（ａ、ｅ）
　引用発明における
　　「輝度や発光パターンの設定状態」、
　　「演出の実行が制御される」こと、
　　「枠ランプ９と」「スピーカー８」、
　　「スピーカー８」、
　　「枠ランプ９」は、それぞれ、
　本件補正発明における
　　「所定の制御設定値」、
　　「動作が制御される」こと、
　　「複数のデバイス」、
　　「音声出力装置」、
　　「発光装置」に相当する。
　したがって、引用発明における構成ａ、ｅは、本件補正発明における構成Ａ、Ｅに相当する。
　
　　（ｂ、ｄ）
　本件補正発明の構成Ｂの「第一条件」は、構成Ｄに「第一条件は、抽選の実行が容易でない遊技状態である場合に成立可能な前記制御設定値の変更条件が満たされた場合に成立し」と定義されていることから、ここでは、引用発明の構成ｂ、ｄと、本件補正発明の構成Ｂ、Ｄとを併せて対比する。
　引用発明における構成ｄの「スルーゲート２１を遊技球が通過することにより行われる普通図柄抽選に当選した場合であっても、電動チューリップ１４ａが第２始動口１４を開放する時間は極めて短く、第２始動口１４へ遊技球が入賞する可能性は低い、通常遊技状態ＳＴ１」は、「第２始動口１４」に「遊技球」が「入賞」したことに伴い実行される「特別遊技判定」の実行頻度が低いことから、本件補正発明における構成Ｄの「抽選の実行が容易でない遊技状態」に相当する。
　したがって、引用発明における構成ｂの「遊技者による操作に基づいて初期値から変更された現在の音量レベルを一時的に上昇可能であ」ることと、本件補正発明における構成Ｂの「前記制御設定値を複数の値から遊技者が選択した設定値と異なる値に変更可能」なこととは、「複数のデバイスのうちの一つのデバイスの制御設定値を複数の値から遊技者が選択した設定値と異なる値に変更可能」なことで共通する。
　
　さらに、引用発明における「保留として記憶されている遊技データ」が、「大当たりとなるものや、リーチとなるもの」であることは、本件補正発明における「変更条件」に相当することから、引用発明における構成ｄの「先読み判定などにより、保留として記憶されている遊技データの中に、大当たりとなるものや、リーチとなるものが含まれている場合」と、本件補正発明における構成Ｄの「前記制御設定値の変更条件が満たされた場合」とは、「複数のデバイスのうちの一つのデバイスの制御設定値の変更条件が満たされた場合」で共通する。
　したがって、引用発明における構成ｄの「スルーゲート２１を遊技球が通過することにより行われる普通図柄抽選に当選した場合であっても、電動チューリップ１４ａが第２始動口１４を開放する時間は極めて短く、第２始動口１４へ遊技球が入賞する可能性は低い、通常遊技状態ＳＴ１において、先読み判定などにより、保留として記憶されている遊技データの中に、大当たりとなるものや、リーチとなるものが含まれている場合」と、本件補正発明における構成Ｄの「第一条件」が「成立」する「抽選の実行が容易でない遊技状態である場合に成立可能な制御設定値の変更条件が満たされた場合」とは、「第一条件が成立する、抽選の実行が容易でない遊技状態である場合に成立可能な複数のデバイスのうちの一つのデバイスの制御設定値の変更条件が満たされた場合」で共通する。
　
　また、引用発明における構成ｂの「通常遊技演出制御部８２によって行われる図柄変動演出の演出態様が、通常ゾーン演出から期待度アップゾーン演出に移行させて設定されること」は、構成ｄによると、「スルーゲート２１を遊技球が通過することにより行われる普通図柄抽選に当選した場合であっても、電動チューリップ１４ａが第２始動口１４を開放する時間は極めて短く、第２始動口１４へ遊技球が入賞する可能性は低い、通常遊技状態ＳＴ１において、先読み判定などにより、保留として記憶されている遊技データの中に、大当たりとなるものや、リーチとなるものが含まれている場合」に成立すると認められる。
　そうすると、引用発明の構成ｂの「通常遊技演出制御部８２によって行われる図柄変動演出の演出態様が、通常ゾーン演出から期待度アップゾーン演出に移行させて設定されることに伴い、遊技者による操作に基づいて初期値から変更された現在の音量レベルを一時的に上昇させ」る「音量調整部７２ａ」を有する「遊技演出設定部７２」として「機能」する「演出制御基板５」と、本件補正発明における構成Ｂの「第一条件が成立した場合に、前記制御設定値を複数の値から遊技者が選択した設定値と異なる値に変更可能な設定変更手段」とは、「第一条件が成立した場合に、複数のデバイスのうちの一つのデバイスの制御設定値を複数の値から遊技者が選択した設定値と異なる値に変更可能な設定変更手段」であることで共通する。
　　
　　（ｃ）
　引用発明における
　　「始動口１３，１４」
　　「入賞した遊技球が始動検知領域を通過して始動条件が成立」すること、
　　「特別遊技判定の結果を遊技者に報知する演出」、
　　「３つの装飾図柄１２ａ、１２ｂ、１２ｃを変動させる図柄変動演出を開始し、所定時間経過後にその図柄変動演出を停止させる」こと、
　　「画像表示器１２」は、それぞれ、
　本件補正発明における
　　「遊技球が流下可能な遊技領域に設けられた始動領域」、
　　「遊技球の入球に基づ」くこと、
　　「抽選の結果を報知する演出」、
　　「演出図柄の変動態様および停止態様の表示が可能な」こと、
　　「表示装置」に相当する。
　したがって、引用発明における構成ｃは、本件補正発明における構成Ｃに相当する。
　　
　　（ｆ、ｆ１）
　引用発明における構成ｆ、ｆ１の「音量調整部７２ａ」による「現在の音量レベルを一時的に上昇させ」た「期待度アップゾーン演出に移行することに伴」って、「スピーカー８から」出力される「演出パターンに対応する音声などの演出音」は、「現在の音量レベルを一時的に上昇させ」たものである。
　ここで、「音量レベル」は、構成ｂによると、「遊技者による操作に基づいて初期値から変更された」ものである。
　そうすると、引用発明における「音量調整部７２ａ」による「現在の音量レベルを一時的に上昇させ」た「期待度アップゾーン演出に移行することに伴」う、「演出パターンに対応する音声などの演出音」は、本件補正発明における「遊技者が選択した設定値と異なる値の制御設定値に対応する音量の音声」に相当する。
　そして、引用発明における「通常遊技演出制御部８２」による「期待度アップゾーンの演出態様で図柄変動演出を行うときには期待度アップゾーン演出に対応する複数の演出パターンの中から一の演出パターンを決定し、演出パターンに基づく図柄変動演出の実行を開始すると、スピーカー８からその演出パターンに対応する音声などの演出音を出力」する制御は、本件補正発明における「音声出力装置から出力させる制御」に相当する。
　ここで、引用発明において、構成ｂより、「音量調整部７２ａ」は、「遊技演出設定部７２が有する」ものであり、また、「通常遊技演出制御部８２」は、「遊技演出制御部７１が有する」ものであり、さらに、「演出制御基板５２は、遊技演出制御部７１、遊技演出設定部７２として機能」するものである。
　また、上記（ｂ）より、引用発明における「音量レベル」と、本件補正発明における「前記制御設定値」とは、「複数のデバイスのうちの一つのデバイスの制御設定値」であることで共通する。
　したがって、引用発明における構成ｆ、ｆ１の「通常遊技演出制御部８２」、「音量調整部７２ａ」の機能を有する「演出制御基板５２」と、本件補正発明の構成Ｆ、Ｆ１の「設定変更手段」とは、「遊技者が選択した設定値と異なる値の制御設定値に対応する音量の音声を音声出力装置から出力させる制御を実行可能である設定変更手段」であることで共通する。
　
　　（ｇ）
　引用発明における
　　「特定示唆演出を終了する」（構成ｇ２）こと、
　　「図柄確定演出を行い、特別遊技判定の結果を表示する」際（構成ｇ３）は、それぞれ、
　本件補正発明における
　　「第一条件の成立中に実行される特定の演出が終了して第二条件が成立」すること、
　　「演出図柄の停止態様が表示される際」に相当する。
　
　そして、引用発明における「メイン制御基板３１から変動停止コマンドを受信した場合」（構成ｇ３）は、「図柄変動演出処理において」「行われる」「特定示唆演出」としての「期待度アップゾーン」演出が終了した後のことであると認められるから、本件補正発明における「第二条件が成立した後」に相当する。
　また、上記（ｂ）より、引用発明における「音量レベル」と、本件補正発明における「前記制御設定値」とは、「複数のデバイスのうちの一つのデバイスの制御設定値」であることで共通することから、引用発明における「特定示唆遊技演出制御部８２ｂにより、音量調整部７２ａに、音量レベルの設定値を、特定示唆演出開始前における設定値に復元させる音量レベル復元処理を行」うこと（構成ｇ２）と、本件補正発明における「制御設定値の変更が解除されている」こととは、「複数のデバイスのうちの一つのデバイスの制御設定値の変更が解除されている」ことで共通する。
　
　したがって、引用発明における構成ｇ〜ｇ３と、本件補正発明における構成Ｇとは、「第一条件の成立中に実行される特定の演出が終了して第二条件が成立した後、演出図柄の停止態様が表示される際に、設定変更手段による複数のデバイスのうちの一つのデバイスの制御設定値の変更が解除されていること」で共通する。
　
　　（ｈ）
　引用発明における「遊技機１」は、本件補正発明における「遊技機」に相当する。」
　
　上記（ａ）〜（ｈ）によれば、本件補正発明と引用発明は、
「Ａ　所定の制御設定値によって動作が制御される複数のデバイスと、
　Ｂ’第一条件が成立した場合に、複数のデバイスのうちの一つのデバイスの制御設定値を複数の値から遊技者が選択した設定値と異なる値に変更可能な設定変更手段と、
　Ｃ　遊技球が流下可能な遊技領域に設けられた始動領域への遊技球の入球に基づいて実行される抽選の結果を報知する演出に係る演出図柄の変動態様および停止態様の表示が可能な表示装置と
　を備え、
　Ｄ’前記第一条件は、前記抽選の実行が容易でない遊技状態である場合に成立可能な前記複数のデバイスのうちの一つのデバイスの制御設定値の変更条件が満たされた場合に成立し、
　Ｅ　前記複数のデバイスは、音声出力装置と、発光装置とを含み、
　Ｆ　前記設定変更手段は、
　Ｆ１’前記遊技者が選択した設定値と異なる値の制御設定値に対応する音量の音声を前記音声出力装置から出力させる制御を実行可能であり、
　Ｇ’前記第一条件の成立中に実行される特定の演出が終了して第二条件が成立した後、前記演出図柄の停止態様が表示される際に、前記設定変更手段による前記複数のデバイスのうちの一つのデバイスの前記制御設定値の変更が解除されている
　Ｈ　遊技機。」の点で一致し、次の点で相違する。
　
［相違点１］（構成Ｂ、Ｄ、Ｇ）
　遊技者による制御設定値の変更の対象が、本件補正発明では、「複数のデバイス」であるのに対して、引用発明では、「スピーカー８」であり、「枠ランプ９」の「輝度レベル」について、「店員が操作可能な設定スイッチ２８で指定されたレベルに設定する」ことが可能であるが、遊技者により変更可能であるか否か不明である点。
　
［相違点２］（構成Ｆ、Ｆ１）
　設定変更手段に関し、
　本件補正発明は、遊技者が選択した設定値と異なる値の制御設定値に対応する音量の音声を音声出力装置から出力させる制御と、遊技者が選択した設定値と異なる値の制御設定値に対応する輝度で発光装置を発光させる制御と、を並行して実行可能であるのに対して、
　引用発明は、「遊技者による操作に基づいて初期値から変更された現在の、演出パターンに対応する音声などの演出音の音量レベルを一時的に上昇させて、スピーカー８から出力」させる制御を実行可能であり、「枠ランプ９」の「輝度レベル」について、「店員が操作可能な設定スイッチ２８で指定されたレベルに設定する」ことが可能であるが、遊技者により変更可能であるか否か不明であるため、本件補正発明のような構成を備えない点。
　
　（４）当審判合議体の判断
　上記相違点１〜２は、音声出力装置と発光装置の制御設定値の設定変更についての、互いに関連する構成であるのでまとめて検討する。
　遊技機の技術分野において、演出効果の低下を抑え、遊技者の興趣を向上させるために、特定演出の開始条件の成立により特定演出を実行する場合、遊技者の設定した音量を、遊技機が設定し直した音量の音を音声出力装置から出力することに並行して、遊技者の設定した輝度を、遊技機が設定し直した輝度の光を発光装置から出力することは、本願出願前に周知の技術事項である（例えば、当審判合議体による令和１年１１月２８日付け拒絶理由に引用例２として引用された特開２０１６−１７９１０６号公報の【０００７】〜【０００８】、【００１５】、【０２９０】〜【０２９８】、【０４０１】や、同じく、引用例３として引用された特開２０１５−７３７６４号公報の【００１０】、【００５２】、【０２９７】〜【０３００】には、遊技者の操作によりスピーカ２７の音量と枠ＬＥＤ２８の輝度とを設定可能であり、特定演出実行中フラグが設定されている場合、特定演出に用いる音量および輝度を所定値に変更して再設定し、かつ、演出終了条件成立フラグがセットされ、演出図柄の変動表示の停止タイミングになった場合、特定演出実行中フラグをリセットし、特定演出を終了させ、音声出力装置から出力する音量、および、発光装置から出力する輝度を、遊技者の設定した値に戻すことが記載されている。以下「周知の技術事項」という。）。
　そして、引用発明と上記周知の技術事項とは、遊技機において、遊技者の興趣を向上させるための特定演出を行う際に、音声出力装置から出力する音量を、遊技者が設定した所定値から、遊技機が設定した値に戻して出力するという共通の機能を有するものである。 
　また、引用発明と上記周知の技術事項とは、特定演出による演出効果を向上させるという共通の課題を解決するものである。 
　したがって、引用発明の「特定示唆演出」としての「期待度アップゾーン演出」に上記周知の技術事項を適用して、「期待度アップゾーン演出」において、遊技者の選択した設定値と異なる値の音量レベルの音声などの演出音を「スピーカー８」から「出力」すること、および、「枠ランプ９」からの「出力」について、店員により輝度レベルを設定可能とすることに加えて、遊技者により輝度レベルを設定可能とし、さらに、「期待度アップゾーン演出」において、上記「スピーカー８」から「出力」に並行して、遊技者の選択した設定値と異なる値の輝度レベルの光を「枠ランプ９」から出力可能とし、上記相違点１〜２に係る本件補正発明の構成とすることは、当業者が容易になし得たものである。 
　また、本件補正発明により奏される効果は、引用発明に上記周知の技術事項を適用することにより奏される効果の範囲内のものである。
　
　（５）請求人の主張について
　令和２年２月３日付け意見書において、請求人は次の主張をする。
　「引用文献１−３には、上記第一の構成における「前記抽選の実行が容易でない遊技状態である場合に成立可能な前記制御設定値の変更条件」という構成（「遊技状態が非時短遊技状態である場合」に「設定変更条件」が成立可能である構成）が開示も示唆もされておりません。つまり、引用文献１−３に記載された発明は、上記第一の構成を有しておりません。」（２−２．拒絶理由１（進歩性）について）
　
　そこで、請求人の上記主張について検討する。
　引用発明は、「通常遊技状態ＳＴ１において、先読み判定などにより、保留として記憶されている遊技データの中に、大当たりとなるものや、リーチとなるものが含まれている場合に、演出態様が、通常ゾーン演出から期待度アップゾーン演出に移行させて設定され」（構成ｄ）、「期待度アップゾーン演出に移行することに伴い、遊技者による操作に基づいて初期値から変更された現在の、演出パターンに対応する音声などの演出音の音量レベルを一時的に上昇させて、スピーカー８から出力」する（構成ｅ）ものである。
　そして、上記「（３）対比（ｂ、ｄ）」において検討したように、引用発明の構成ｄは、本件補正発明の構成Ｄのうち、「スピーカー８」からの「出力」に関してではあるが、「第一条件は、抽選の実行が容易でない遊技状態である場合に成立可能な複数のデバイスのうちの一つのデバイスの制御設定値の変更条件が満たされた場合に成立」する構成に相当する。
　したがって、引用文献１（引用例１）には、「前記抽選の実行が容易でない遊技状態である場合に成立可能な前記制御設定値の変更条件」が開示されているといえるから、請求人の上記主張を採用することはできない。
　
　（６）まとめ
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、令和１年９月２０日付け手続補正書により補正された、次のとおりのものと認める。
「Ａ　所定の制御設定値によって動作が制御される複数のデバイスと、
　Ｂ　第一条件が成立した場合に、前記制御設定値を複数の値から遊技者が選択した設定値と異なる値に変更可能な設定変更手段と、
　Ｃ　遊技球が流下可能な遊技領域に設けられた始動領域への遊技球の入球に基づいて実行される抽選の結果を報知する演出に係る演出図柄の変動態様および停止態様の表示が可能な表示装置と
　を備え、
　Ｅ　前記複数のデバイスは、音声出力装置と、発光装置とを含み、
　Ｆ　前記設定変更手段は、
　Ｆ１　前記遊技者が選択した設定値と異なる値の制御設定値に対応する音量の音声を前記音声出力装置から出力させる制御と、前記遊技者が選択した設定値と異なる値の制御設定値に対応する輝度で前記発光装置を発光させる制御と、を並行して実行可能であり、
　Ｇ’　前記第一条件の成立中に第二条件が成立した状態で前記演出図柄の停止態様が表示される際に、前記設定変更手段による前記制御設定値の変更が解除されていること
　Ｈ　を特徴とする遊技機。」
　
　２　拒絶の理由の概要
　当審による令和１年１１月２８日付け拒絶理由は、概略、次のとおりのものである。
　
「１（進歩性）
　本願発明は、その出願前に日本国内において、電気通信回線を通じて公衆に利用可能となった下記の引用文献に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　記
　　　１：特開２０１５−１３９４７１号公報
　　　２：特開２０１６−１７９１０６号公報
　　　３：特開２０１５−７３７６４号公報」
　
　３　引用例に記載された事項
　（１）引用発明について
　当審による令和１年１１月２８日付け拒絶の理由に引用された引用文献１（前記「第２［理由］２　２−２（２）」の「引用例１」である。）の記載事項および引用発明の認定については、前記「第２［理由］２　２−２（２）」に記載したとおりである。
　
　４　対比・判断
　本願発明は、前記「第２［理由］２−２（１）本件補正発明」で検討した本件補正発明の「第一条件」に関する、「前記第一条件は、前記抽選の実行が容易でない遊技状態である場合」との限定を省くとともに、本件補正発明の「設定変更手段による制御設定値の変更」の「解除」に関して、「前記第一条件の成立中に
実行される特定の演出が終了して
　
　そうすると、本願発明と引用発明とは、前記相違点１（構成Ｂ、Ｇ’）および相違点２（構成Ｆ、Ｆ１）において相違し、その余の点で一致するものである。
　そして、相違点１〜２についての判断は、本件補正発明と引用発明との相違点１〜２についての判断、前記「第２　２−２（４）当審判合議体の判断」において検討したと同様に、引用発明の「特定示唆演出」としての「期待度アップゾーン演出」に上記周知の技術事項を適用することにより当業者が容易になし得たものである。
　したがって、本願発明は、引用発明、及び、上記周知の技術事項に基づいて当業者が容易になし得たものである。
　
　５　むすび
　以上のとおりであるから、本願発明は、特許法第２９条第２項の規定により特許を受けることができないものである。
　したがって、その余の請求項について検討するまでもなく、本願は拒絶すべきものである。
　
　よって、結論のとおり審決する。